(57)【要約】【課題】食材を購入中の使用者に対して、体脂肪率との環形でその使用者の意思に適応した食材情報を迅速且つ効率的に提供し、その結果としてその使用者が目的とする食材の買物を迅速且つ効率的に行わせることが可能な食材食材情報提供システムを提供する。【解決手段】把持部８を検出電極とする体脂肪率算出部５をショッピングカートＣＴに備える。リーダＤＭによりＩＣタグ６内のカート識別情報を検出することにより当該リーダＤＭが設置されている設置位置にショッピングカートＣＴが接近したか否かを検出・識別し、ショッピングカートＣＴが展示台Ｄに接近したことが検出されたとき、展示台Ｄ上の食材に対応する体脂肪率を考慮した食材情報を、ショッピングカートＣＴ上のディスプレイ２を用いて提供する。【選択図】図１
2007133711.tif 000002
【特許請求の範囲】
【請求項１】
端末装置と、食材情報配信装置と、により構成される食材情報配信システムであって、
前記端末装置は、
食材情報の提供を受ける使用者の体脂肪率を測定する測定手段と、
前記測定された体脂肪率を示す体脂肪率情報と、前記使用者を他の前記使用者から識別する識別情報と、を、前記食材情報配信装置に送信する送信手段と、
前記食材情報配信装置から送信されて来た前記食材情報を前記使用者に告知する告知手段と、
を備えると共に、
前記食材情報配信装置は、
前記食材情報を蓄積する蓄積手段と、
前記蓄積されている食材情報の中から、前記送信されて来た体脂肪率情報に対応する食材情報を抽出する抽出手段と、
前記送信されて来た識別情報に基づき、当該識別情報を送信して来た前記端末装置に前記抽出された食材情報を返信する返信手段と、
を備えることを特徴とする食材情報配信システム。
【請求項２】
請求項１に記載の食材情報配信システムにおいて、
前記端末装置は、前記食材情報に対応する食材が販売されている店舗内を前記使用者と共に移動するショッピングカートに備えられており、
前記測定手段は、当該ショッピングカートを移動させる際に前記使用者が把持する当該ショッピングカートの把持部を検出電極として当該使用者の前記体脂肪率を電気的に測定する測定手段であり、
更に前記識別情報は、前記使用者が移動させている前記ショッピングカートを他の前記ショッピングカートから識別するカート識別情報であることを特徴とする食材情報配信システム。
【請求項３】
請求項１又は２に記載の食材情報配信システムにおいて、
前記告知手段は、前記使用者が携帯する携帯型告知手段であることを特徴とする食材情報配信システム。
【請求項４】
請求項２又は３に記載の食材情報配信システムにおいて、
前記端末装置は、前記ショッピングカートに備えられた移動記憶手段であって当該ショッピングカートに対応する前記カート識別情報を記憶する移動記憶手段を更に備え、
前記食材情報配信装置は、
前記店舗内に固定設置され且つ前記記憶手段に対して非接触である固定検出手段と、
前記固定検出手段により前記移動記憶手段から前記カート識別情報を検出することにより、当該固定検出手段が固定設置されている前記店舗内の設置位置に当該移動記憶手段を備える前記ショッピングカートが接近したか否かを検出し且つ当該接近したことが検出された前記ショッピングカートを他の前記ショッピングカートから識別する接近識別手段と、を更に備え、
前記抽出手段は、いずれかの前記ショッピングカートが前記設置位置に接近したことが検出され且つ当該接近したことが検出された前記ショッピングカートが識別されたとき、当該設置位置及び前記送信されて来た体脂肪率情報に対応する前記食材情報を抽出し、
更に前記返信手段は、前記送信されて来たカート識別情報に基づき、当該カート識別情報を送信して来た前記端末装置に前記抽出された食材情報を返信することを特徴とする食材情報配信システム。
【請求項５】
請求項２又は３に記載の食材情報配信システムにおいて、
前記端末装置は、
前記カート識別情報を記憶する記憶手段と、
位置対応情報を受信するカート受信手段と、
前記受信した位置対応情報と、前記記憶しているカート識別情報と、前記体脂肪率情報と、を関連付けて前記食材情報配信装置に送信する送信手段と、
を更に備え、
前記食材情報配信装置は、
前記店舗内に固定設置され且つ当該固定設置された前記店舗内の位置に対応する前記位置対応情報を放射する放射手段と、
前記端末装置から送信されて来た前記位置対応情報、前記カート識別情報及び前記体脂肪率情報を受信する装置受信手段と、
を更に備え、
前記抽出手段は、当該送信されて来た位置対応情報及び体脂肪率情報に対応する前記食材情報を抽出し、
更に前記返信手段は、前記送信されて来たカート識別情報に基づき、当該カート識別情報を送信して来た前記端末装置に前記抽出された食材情報を返信することを特徴とする食材情報配信システム。
【請求項６】
請求項４又は５に記載の食材情報配信システムにおいて、
前記食材情報には、当該食材情報が対応する前記食材の前記店舗内における陳列位置を示す位置情報が含まれており、
前記告知手段は、当該位置情報及び当該陳列位置まで前記ショッピングカートを案内する案内情報を告知することを特徴とする食材情報配信システム。
【請求項７】
請求項１から６のいずれか一項に記載の食材情報配信システムにおいて、
前記食材情報には、当該食材情報に含まれている前記食材を用いた料理の調理法を示すレシピ情報を含むことを特徴とする食材情報配信システム。
【請求項８】
端末装置と、前記端末装置に配信されるべき食材情報を蓄積する蓄積手段を備える食材情報配信装置と、により構成される食材情報配信システムにおいて実行される食材情報配信方法であって、
前記端末装置において、食材情報の提供を受ける使用者の体脂肪率を測定する測定工程と、
前記端末装置において、前記測定された体脂肪率を示す体脂肪率情報と、前記使用者を他の前記使用者から識別する識別情報と、を前記食材情報配信装置に送信する送信工程と、
前記食材情報配信装置において、前記蓄積されている食材情報の中から、前記送信されて来た体脂肪率情報に対応する食材情報を抽出する抽出工程と、
前記食材情報配信装置において、前記送信されて来た識別情報に基づき、当該識別情報を送信して来た前記端末装置に前記抽出された食材情報を返信する返信工程と、
前記端末装置において、前記食材情報配信装置から送信されて来た前記食材情報を前記使用者に告知する告知工程と、
を含むことを特徴とする食材情報配信方法。
【請求項９】
請求項８に記載の食材情報配信方法において、
前記端末装置は、前記食材情報に対応する食材が販売されている店舗内を前記使用者と共に移動するショッピングカートに備えられており、
前記識別情報は、前記使用者が移動させている前記ショッピングカートを他の前記ショッピングカートから識別するカート識別情報であり、
前記測定工程においては、当該ショッピングカートを移動させる際に前記使用者が把持する当該ショッピングカートの把持部を検出電極として当該使用者の前記体脂肪率を電気的に測定することを特徴とする食材情報配信方法。
【請求項１０】
請求項１から７のいずれか一項に記載の端末装置に含まれる端末装置コンピュータを、
前記測定手段、
前記送信手段、及び、
前記告知手段、
として夫々機能させることを特徴とする端末装置用プログラム。
【請求項１１】
請求項１から７のいずれか一項に記載の前記蓄積手段を備える食材情報配信装置に含まれる配信装置コンピュータを、
前記抽出手段、及び、
前記返信手段、
として夫々機能させることを特徴とする食材情報配信装置用プログラム。
【請求項１２】
請求項１０に記載の端末装置用プログラムが前記端末装置コンピュータにより読取可能に記録されていることを特徴とする情報記録媒体。
【請求項１３】
請求項１１に記載の食材情報配信装置用プログラムが前記配信装置コンピュータにより読取可能に記録されていることを特徴とする情報記録媒体。
【発明の詳細な説明】
【技術分野】
【０００１】
本発明は、食材情報配信システム、食材情報配信方法及び食材情報配信用プログラム並びに情報記録媒体の技術分野に属し、より詳細には、例えば食料品店等の店舗内で買物をしている者に対して食材に関する食材情報を提供する食材情報配信システム及び食材情報配信方法、当該食材情報配信システムにおいて用いられる食材情報配信用プログラム並びに当該食材情報配信用プログラムを記録した情報記録媒体の技術分野に属する。
【背景技術】
【０００２】
従来、例えば大型の食料品店において食料品を購入する場合、そのときに購入すべき食料品の種類や数を紙片等に記録して携行し、それを見ながら、その内容とそのときに当該食料品店において勧めているお買い得の食料品等とを比較考慮しながら買物をするのが一般的である。
【０００３】
そしてこの場合、買物をする者は、その時のお買い得品が何かを一品目毎に値段や量を比較しながら探す必要があった。またこのときには、単に値段が安いだけでなくその鮮度や産地等を一つ一つ目視で確認しながら実際に購入する食料品を決める必要がある。
【０００４】
一方、近年における健康重視の傾向に鑑み、健康状態を示すバロメータの一つとして、いわゆる体脂肪率が注目されている。ここで、体脂肪とは、一般には「体内に蓄積された脂肪」のことを言うとされており、皮下脂肪及び内臓脂肪を含む概念である。また体脂肪率とは、「体重に占める脂肪の重さの割合」を言うものとされており、以下の説明でも「体脂肪」及び「体脂肪率」については夫々上述した意味で用いる。
【０００５】
そして、上記体脂肪率は肥満の程度を知るバロメータとされており、それを適正値に保つべく日々の食材を工夫することが一般に行われつつある。
【発明の開示】
【発明が解決しようとする課題】
【０００６】
しかしながら、上述した従来の買物の形態では、買物をする使用者に対する負担が過大になり、また、近年多くなる傾向にあるいわゆる纏め買いの場合には、購入すべき食料品も多品種多数に及ぶため、上記体脂肪率を考慮して食材を選ぼうとしても無駄な買物をしたり、或は必要なものが購入できないなど、効率的に買物ができない場合があると言う問題点があった。
【０００７】
なお、上述した如き買物の際の利便性を高める工夫として、例えば下記特許文献１に記載のカート装置がある。これは、商品バーコードを読み取り、ホストから価格データを受信してそのときにカートに入れられている商品の合計金額を当該カート上に表示可能としたものであるが、この技術は、買物をする使用者に対して単に商品金額や合計金額を提供するに止まるものであり、買物に役立つ体脂肪率に関連する情報を提供したり、またこれにより購買意欲を向上させようとするものではない。
【特許文献１】特開平２−２３６６９８号公報（第１図及び第２図）
【０００８】
そこで、本発明は上記の問題点に鑑みて為されたもので、その課題は、食材を購入中の使用者に対して、体脂肪率との環形でその使用者の意思に適応した食材情報を迅速且つ効率的に提供し、その結果としてその使用者が目的とする食材の買物を迅速且つ効率的に行わせることが可能な食材情報配信システム及び食材情報配信方法、当該食材情報配信システムにおいて用いられる食材情報配信用プログラム並びに当該食材情報配信用プログラムを記録した情報記録媒体を提供することにある。
【課題を解決するための手段】
【０００９】
上記の課題を解決するために、請求項１に記載の発明は、端末装置と、食材情報配信装置と、により構成される食材情報配信システムであって、前記端末装置は、食材情報の提供を受ける使用者の体脂肪率を測定する体脂肪率算出部等の測定手段と、前記測定された体脂肪率を示す体脂肪率情報と、前記使用者を他の前記使用者から識別する識別情報と、を、前記食材情報配信装置に送信する無線インターフェース等の送信手段と、前記食材情報配信装置から送信されて来た前記食材情報を前記使用者に告知するディスプレイ等の告知手段と、を備えると共に、前記食材情報配信装置は、前記食材情報を蓄積するデータベース等の蓄積手段と、前記蓄積されている食材情報の中から、前記送信されて来た体脂肪率情報に対応する食材情報を抽出するＣＰＵ等の抽出手段と、前記送信されて来た識別情報に基づき、当該識別情報を送信して来た前記端末装置に前記抽出された食材情報を返信する無線インターフェース等の返信手段と、を備える。
【００１０】
よって、体脂肪率情報に適応した食材情報が抽出されて使用者の手元に届くので、体脂肪率の調整のための食材情報を簡易な方法で取得することができる。
【００１１】
上記の課題を解決するために、請求項２に記載の発明は、請求項１に食材情報配信システムにおいて、前記端末装置は、前記食材情報に対応する食材が販売されている店舗内を前記使用者と共に移動するショッピングカートに備えられており、前記測定手段は、当該ショッピングカートを移動させる際に前記使用者が把持する当該ショッピングカートの把持部を検出電極として当該使用者の前記体脂肪率を電気的に測定する測定手段であり、更に前記識別情報は、前記使用者が移動させている前記ショッピングカートを他の前記ショッピングカートから識別するカート識別情報であるように構成される。
【００１２】
よって、種々の食材が販売されている店舗内の備えられたショッピングカートにおいて自動的にその使用者の体脂肪率を測定し、その測定結果に適応した食材情報が当該ショッピングカート上の端末装置に配信されるので、当該使用者は、買物をしながら自己の体脂肪率と必要は食材との関係を把握しつつ短時間且つ効果的に必要な食材を購入することができる。
【００１３】
上記の課題を解決するために、請求項３に記載の発明は、請求項２に記載の食材情報配信システムにおいて、前記告知手段は、前記使用者が携帯する携帯電話等の携帯型告知手段であるように構成される。
【００１４】
よって、告知手段が携帯型であるので、端末装置を構成するショッピングカート自体の構成を簡略化することができる。
【００１５】
上記の課題を解決するために、請求項４に記載の発明は、請求項２又は３に記載の食材情報配信システムにおいて、前記端末装置は、前記ショッピングカートに備えられた記憶手段であって当該ショッピングカートに対応する前記カート識別情報を記憶するＩＣタグ等の移動記憶手段を更に備え、前記食材情報配信装置は、前記店舗内に固定設置され且つ前記記憶手段に対して非接触であるリーダ等の固定検出手段と、前記固定検出手段により前記移動記憶手段から前記カート識別情報を検出することにより、当該固定検出手段が固定設置されている前記店舗内の設置位置に当該移動記憶手段を備える前記ショッピングカートが接近したか否かを検出し且つ当該接近したことが検出された前記ショッピングカートを他の前記ショッピングカートから識別するＣＰＵ等の接近識別手段と、を更に備え、前記抽出手段は、いずれかの前記ショッピングカートが前記設置位置に接近したことが検出され且つ当該接近したことが検出された前記ショッピングカートが識別されたとき、当該設置位置及び前記送信されて来た体脂肪率情報に対応する前記食材情報を抽出し、更に前記返信手段は、前記送信されて来たカート識別情報に基づき、当該カート識別情報を送信して来た前記端末装置に前記抽出された食材情報を返信するように構成される。
【００１６】
よって、非接触の移動記憶手段と固定検出手段との協働によりショッピングカートの店舗内位置を特定し、その位置と当該使用者の体脂肪率とに対応した食材情報を提供するので、その使用者の食材購入を効果的に補助することができる。
【００１７】
上記の課題を解決するために、請求項５に記載の発明は、請求項２又は３に記載の食材情報配信システムにおいて、前記端末装置は、前記カート識別情報を記憶する記憶手段と、位置対応情報を受信するカート受信手段と、前記受信した位置対応情報と、前記記憶しているカート識別情報と、前記体脂肪率情報と、を関連付けて前記食材情報配信装置に送信する送信手段と、を更に備え、前記食材情報配信装置は、前記店舗内に固定設置され且つ当該固定設置された前記店舗内の位置に対応する前記位置対応情報を放射する放射手段と、前記端末装置から送信されて来た前記位置対応情報、前記カート識別情報及び前記体脂肪率情報を受信する装置受信手段と、を更に備え、前記抽出手段は、当該送信されて来た位置対応情報及び体脂肪率情報に対応する前記食材情報を抽出し、更に前記返信手段は、前記送信されて来たカート識別情報に基づき、当該カート識別情報を送信して来た前記端末装置に前記抽出された食材情報を返信するように構成される。
【００１８】
よって、非接触のカート受信手段と放射手段との協働によりショッピングカートの店舗内位置を特定し、その位置と当該使用者の体脂肪率とに対応した食材情報を提供するので、その使用者の食材購入を効果的に補助することができる。
【００１９】
上記の課題を解決するために、請求項６に記載の発明は、請求項４又は５に記載の食材情報配信システムにおいて、前記食材情報には、当該食材情報が対応する前記食材の前記店舗内における陳列位置を示す位置情報が含まれており、前記告知手段は、当該位置情報及び当該陳列位置まで前記ショッピングカートを案内する案内情報を告知するように構成される。
【００２０】
よって、食材情報内に案内情報が含まれているので、店舗内において推奨される食材の陳列位置まで使用者をスムーズに誘導することができる。
【００２１】
上記の課題を解決するために、請求項７に記載の発明は、請求項１から６のいずれか一項に記載の食材情報配信システムにおいて、前記食材情報には、当該食材情報に含まれている前記食材を用いた料理の調理法を示すレシピ情報を含むように構成される。
【００２２】
よって、食材情報内に対応するレシピ情報が含まれているので、食材購入後の調理についても考慮しつつ、適切な食材を購入する補助を行うことができる。
【００２３】
上記の課題を解決するために、請求項８に記載の発明は、端末装置と、前記端末装置に配信されるべき食材情報を蓄積するデータベース等の蓄積手段を備える食材情報配信装置と、により構成される食材情報配信システムにおいて実行される食材情報配信方法であって、前記端末装置において、食材情報の提供を受ける使用者の体脂肪率を測定する測定工程と、前記端末装置において、前記測定された体脂肪率を示す体脂肪率情報と、前記使用者を他の前記使用者から識別する識別情報と、を前記食材情報配信装置に送信する送信工程と、前記食材情報配信装置において、前記蓄積されている食材情報の中から、前記送信されて来た体脂肪率情報に対応する食材情報を抽出する抽出工程と、前記食材情報配信装置において、前記送信されて来た識別情報に基づき、当該識別情報を送信して来た前記端末装置に前記抽出された食材情報を返信する返信工程と、前記端末装置において、前記食材情報配信装置から送信されて来た前記食材情報を前記使用者に告知する告知工程と、を含む。
【００２４】
よって、体脂肪率情報に適応した食材情報が抽出されて使用者の手元に届くので、体脂肪率の調整のための食材情報を簡易な方法で取得することができる。
【００２５】
上記の課題を解決するために、請求項９に記載の発明は、請求項８に食材情報配信方法において、前記端末装置は、前記食材情報に対応する食材が販売されている店舗内を前記使用者と共に移動するショッピングカートに備えられており、前記識別情報は、前記使用者が移動させている前記ショッピングカートを他の前記ショッピングカートから識別するカート識別情報であり、前記測定工程においては、当該ショッピングカートを移動させる際に前記使用者が把持する当該ショッピングカートの把持部を検出電極として当該使用者の前記体脂肪率を電気的に測定するように構成される。
【００２６】
よって、種々の食材が販売されている店舗内の備えられたショッピングカートにおいて自動的にその使用者の体脂肪率を測定し、その測定結果に適応した食材情報が当該ショッピングカート上の端末装置に配信されるので、当該使用者は、買物をしながら自己の体脂肪率と必要は食材との関係を把握しつつ短時間且つ効果的に必要な食材を購入することができる。
【００２７】
上記の課題を解決するために、請求項１０に記載の発明は、請求項１から７のいずれか一項に記載の端末装置に含まれる端末装置コンピュータを、前記測定手段、前記送信手段、及び、前記告知手段、として夫々機能させる。
【００２８】
また、請求項１１に記載の発明は、請求項１から７のいずれか一項に記載の前記蓄積手段を備える食材情報配信装置に含まれる配信装置コンピュータを、前記抽出手段、及び、前記返信手段、として夫々機能させる。
【００２９】
よって、体脂肪率情報に適応した食材情報が抽出されて使用者の手元に届くように端末装置コンピュータ及び配信装置コンピュータが夫々機能するので、体脂肪率の調整のための食材情報を簡易な方法で取得することができる。
【００３０】
上記の課題を解決するために、請求項１２に記載の発明は、請求項１０に記載の端末装置用プログラムが前記端末装置コンピュータにより読取可能に記録されている。
【００３１】
また、請求項１３に記載の発明は、請求項１１に記載の食材配信装置用プログラムが前記配信装置コンピュータにより読取可能に記録されている。
【００３２】
よって、請求項１２に記載の発明に係る端末装置用プログラムを当該端末装置コンピュータで読み出して実行すると共に、請求項１３に記載の発明に係る配信装置用プログラムを当該配信装置コンピュータで読み出して実行することにより、体脂肪率情報に適応した食材情報が抽出されて使用者の手元に届くように当該端末装置コンピュータ及び当該配信装置コンピュータが夫々機能するので、体脂肪率の調整のための食材情報を簡易な方法で取得することができる。
【発明の効果】
【００３３】
請求項１に記載の発明によれば、体脂肪率情報に適応した食材情報が抽出されて使用者の手元に届くので、体脂肪率の調整のための食材情報を簡易な方法で取得することができる。
【００３４】
従って、体脂肪率を基準としてその使用者に適した食材情報を提供できることで、当該使用者の購買意欲を促進して食材の売上向上に資することができる。
【００３５】
請求項２に記載の発明によれば、請求項１に記載の発明の効果に加えて、種々の食材が販売されている店舗内の備えられたショッピングカートにおいて自動的にその使用者の体脂肪率を測定し、その測定結果に適応した食材情報が当該ショッピングカート上の端末装置に配信されるので、当該使用者は、買物をしながら自己の体脂肪率と必要は食材との関係を把握しつつ短時間且つ効果的に必要な食材を購入することができる。
【００３６】
請求項３に記載の発明によれば、請求項２に記載の発明の効果に加えて、告知手段が携帯型であるので、端末装置を構成するショッピングカート自体の構成を簡略化することができる。
【００３７】
請求項４に記載の発明によれば、請求項２又は３に記載の発明の効果に加えて、非接触の移動記憶手段と固定検出手段との協働によりショッピングカートの店舗内位置を特定し、その位置と当該使用者の体脂肪率とに対応した食材情報を提供するので、その使用者の食材購入を効果的に補助することができる。
【００３８】
請求項５に記載の発明によれば、請求項２又は３に記載の発明の効果に加えて、非接触のカート受信手段と放射手段との協働によりショッピングカートの店舗内位置を特定し、その位置と当該使用者の体脂肪率とに対応した食材情報を提供するので、その使用者の食材購入を効果的に補助することができる。
【００３９】
請求項６に記載の発明によれば、請求項４又は５に記載の発明の効果に加えて、食材情報内に案内情報が含まれているので、店舗内において推奨される食材の陳列位置まで使用者をスムーズに誘導することができる。
【００４０】
請求項７に記載の発明によれば、請求項１から６のいずれか一項に記載の発明の効果に加えて、食材情報内に対応するレシピ情報が含まれているので、食材購入後の調理についても考慮しつつ、適切な食材を購入する補助を行うことができる。
【００４１】
請求項８に記載の発明によれば、体脂肪率情報に適応した食材情報が抽出されて使用者の手元に届くので、体脂肪率の調整のための食材情報を簡易な方法で取得することができる。
【００４２】
従って、体脂肪率を基準としてその使用者に適した食材情報を提供できることで、当該使用者の購買意欲を促進して食材の売上向上に資することができる。
【００４３】
請求項９に記載の発明によれば、請求項８に記載の発明の効果に加えて、種々の食材が販売されている店舗内の備えられたショッピングカートにおいて自動的にその使用者の体脂肪率を測定し、その測定結果に適応した食材情報が当該ショッピングカート上の端末装置に配信されるので、当該使用者は、買物をしながら自己の体脂肪率と必要は食材との関係を把握しつつ短時間且つ効果的に必要な食材を購入することができる。
【００４４】
請求項１０及び１１に夫々記載の発明によれば、体脂肪率情報に適応した食材情報が抽出されて使用者の手元に届くように端末装置コンピュータ及び配信装置コンピュータが夫々機能するので、体脂肪率の調整のための食材情報を簡易な方法で取得することができる。
【００４５】
従って、体脂肪率を基準としてその使用者に適した食材情報を提供できることで、当該使用者の購買意欲を促進して食材の売上向上に資することができる。
【００４６】
請求項１２及び１３に夫々記載の発明によれば、請求項１２に記載の発明に係る端末装置用プログラムを当該端末装置コンピュータで読み出して実行すると共に、請求項１３に記載の発明に係る配信装置用プログラムを当該配信装置コンピュータで読み出して実行することにより、体脂肪率情報に適応した食材情報が抽出されて使用者の手元に届くように当該端末装置コンピュータ及び当該配信装置コンピュータが夫々機能するので、体脂肪率の調整のための食材情報を簡易な方法で取得することができる。
【００４７】
従って、体脂肪率を基準としてその使用者に適した食材情報を提供できることで、当該使用者の購買意欲を促進して食材の売上向上に資することができる。
【発明を実施するための最良の形態】
【００４８】
次に、本発明を実施するための最良の形態について、図面に基づいて説明する。なお、以下に説明する各実施形態は、食料品店において食料品等を購入する際に用いる、いわゆるショッピングカートを含み、当該ショッピングカートを伴って買物をする使用者に対して食材情報を提供する食材情報配信システムに対して本発明を適用した場合の実施の形態である。
【００４９】
（Ｉ）第１実施形態
始めに、本発明に係る第１実施形態について、図１乃至図７を用いて説明する。なお、図１及び図２は第１実施形態に係る食材情報配信システムの概要構成を示す図であり、図３は当該食材情報配信システムに含まれるデータベースの構成を示す図であり、図４は当該食材情報配信システムにより情報に提供を受けつつ買物をする際の各構成部材の機能を示すフローチャートであり、図５乃至図７は当該食材情報配信システムを活用して買物を行っている際に後述するディスプレイに表示される画面を夫々例示する図である。
【００５０】
先ず、第１実施形態に係る食材情報配信システムについて、図１を用いて概念的に説明する。
【００５１】
図１（ａ）に示すように、当該食材情報配信システムＳ１は、端末装置Ｔ１が搭載されたショッピングカートＣＴ１と、当該ショッピングカートＣＴ１が移動する食料品店内の売り場毎に設けられた複数の展示台Ｄと、各端末装置Ｔ１に対する後述する情報の提供を一括して制御する中央処理装置ＳＳ１と、各端末装置Ｔ１と中央処理装置ＳＳ１とを無線通信により接続する無線ネットワークＬと、により構成されている。
【００５２】
そして、上記ショッピングカートＣＴ１には、後述する如きいわゆる移動記憶手段としてのＩＣ（Integrated Circuit）タグ６が備えられており、このＩＣタグ６には、当該ＩＣタグ６が備えられたショッピングカートＣＴ１をその食料品店に備えられている全てのショッピングカートＣＴ１から識別するためのカート識別情報が記録されている。なお、当該カート識別情報は、そのＩＣタグ６が備えられたショッピングカートＣＴ１に備えられた上記端末装置Ｔ１内の後述するＣＰＵ１内にも同一のものが記憶されている。
【００５３】
また、端末装置Ｔ１には、当該端末装置Ｔ１が備えられているショッピングカートＣＴ１を移動させる使用者が、当該移動させるときに把持するショッピングカートＣＴ１の把持部８を夫々検出電極とする後述する体脂肪率算出部が備えられている。
【００５４】
そして、当該体脂肪率算出部により算出された体脂肪率を示す体脂肪率情報は、その測定対象である使用者が移動させているショッピングカートＣＴ１を示す上記カート識別情報（ＣＰＵ１内に記憶されているカート識別情報）と共に、上記無線ネットワークＬを介して中央処理装置ＳＳ１に送信される。
【００５５】
一方、上記展示台Ｄには、各ショッピングカートＣＴ１に備えられた夫々のＩＣタグ６との無線による情報の授受が可能な固定検出手段としてのリーダＤＭが夫々に備えられており、このリーダＤＭにより各ＩＣタグ６内のカート識別情報を読み取ることで、そのＩＣタグ６を備えるショッピングカートＣＴ１が当該カート識別情報を読み取ったリーダＤＭを備える展示台Ｄに接近したことを検出する。
【００５６】
この後、その展示台Ｄに接近していると検出されているショッピングカートＣＴ１上の端末装置Ｔ１に対して、無線ネットワークＬを介して、その展示台Ｄに展示されている食材に関する食材情報であって上記送信されて来ている体脂肪率を考慮した食材情報を、中央処理装置ＳＳ１から提供する。
【００５７】
次に、上記端末装置Ｔ１の構成及び動作について、図１（ｂ）を用いて説明する。なお、図１（ｂ）は当該端末装置Ｔ１の概要構成等を示すブロック図である。
【００５８】
図１（ｂ）に示すように、第１実施形態に係る端末装置Ｔ１は、ＣＰＵ１と、告知手段としてのディスプレイ２と、当該ディスプレイ２の表面に備えられたタッチパネル３と、上記無線ネットワークＬに接続して中央処理装置ＳＳ１との間で必要な情報の授受を行うための送信手段としての無線インターフェース４と、上記把持部８を検出電極とする測定手段としての上記体脂肪率算出部５と、記憶部７と、により構成されている。なお図１（ｂ）には、当該端末装置Ｔ１と共に移動することとなる上記ＩＣタグ６も併記する。
【００５９】
次に、動作を説明する。
【００６０】
先ず、ＩＣタグ６は、上述したように当該端末装置Ｔ１が備えられているショッピングカートＣＴ１を他のショッピングカートＣＴ１から識別するためのカート識別情報を記憶しており、無線電波を介して当該カート識別情報を上記リーダＤＭに送信する。
【００６１】
一方、体脂肪率算出部５は、把持部８から出力されてくる検出信号Ｓinに基づき、周知の処理方法にて当該把持部８を把持している使用者の体脂肪率を測定し、その測定結果を体脂肪率情報ＳuとしてＣＰＵ１に出力する。
【００６２】
更に、無線インターフェース４は、ＣＰＵ１から上記体脂肪率情報Ｓuがカート識別情報と共に送信されてくると、これらを無線ネットワークＬを介して中央処理装置ＳＳ１に送信する。これに加えて無線インターフェース４は、無線ネットワークＬを介して中央処理装置ＳＳ１から提供情報Ｓrを取得しＣＰＵ１に出力する。
【００６３】
他方、タッチパネル３は、ショッピングカートＣＴ１の使用者により操作されると、当該操作に対応する操作情報Ｓtpを生成してＣＰＵ１へ出力する。
【００６４】
これらにより、ＣＰＵ１は、上記体脂肪率情報Ｓuを当該ＣＰＵ１内に記憶されているカート識別情報と共に上記無線インターフェース４に送信すると共に、提供情報Ｓr及び操作情報Ｓtpを用いてディスプレイ２に表示させるべき表示情報Ｓdpを生成し、ディスプレイ２に出力して必要な表示を実行させる。
【００６５】
このとき、当該ＣＰＵ１としての処理に必要な情報は、メモリ情報Ｓmとして記憶部７に一時的に記憶されると共に、必要に応じてメモリ情報Ｓmとして読み出されて、必要な処理に供される。
【００６６】
次に、上記中央処理装置ＳＳ１の構成及び動作について、図２を用いて説明する。なお、図２は当該中央処理装置ＳＳ１の概要構成を示すブロック図である。
【００６７】
図２に示すように、第１実施形態に係る中央処理装置ＳＳ１は、抽出手段及び接近識別手段としてのＣＰＵ１０と、不揮発性の記憶媒体である記憶手段としてのデータベース１１と、各展示台Ｄに接続されたインターフェース１２と、キーボード又はマウス等により構成される入力部１３と、上記無線ネットワークＬに接続して各展示台Ｄとの間で必要な情報の授受を行うための返信手段としての無線インターフェース１４と、により構成されている。
【００６８】
次に、動作を説明する。
【００６９】
先ず、入力部１３は、データベース１１内に格納されている情報を更新する際等に用いられ、中央処理装置ＳＳ１の管理者により操作されると、当該操作に対応する操作情報Ｓopを生成してＣＰＵ１０へ出力する。
【００７０】
一方、無線インターフェース１４は、各端末装置Ｔ１から無線ネットワークＬを介してカート識別情報と共に送信されて来た体脂肪率情報ＳuをＣＰＵ１０に送信すると共に、ＣＰＵ１０を介してデータベース１１から読み出された情報を、無線ネットワークＬを介して各端末装置Ｔ１に対して提供情報Ｓrとして伝送する。
【００７１】
更に、インターフェース１２は、各展示台Ｄから、当該展示台Ｄ上のリーダＤＭにおいて読み取られた上記カート識別情報Ｓdが送信されてくると、これらを纏めてインターフェース情報ＳifとしてＣＰＵ１０へ出力する。
【００７２】
他方、データベース１１は、各端末装置Ｔ１上に表示すべき情報を蓄積記憶し、必要に応じてデータベース情報ＳdbとしてＣＰＵ１０に出力すると共に、入力部１３における操作により当該表示すべき情報が更新されると、ＣＰＵ１０を介してデータベース情報Ｓdbとしてその更新された情報を受け取り、指定されたアドレスに蓄積記憶する。
【００７３】
ここで、当該データベース１１の細部構成について、図３を用いて説明する。なお、図３は、当該細部構成を示すブロック図である。
【００７４】
図３に示すように、データベース１１は、予め設定された体脂肪率に関する閾値毎に区分されたサブデータベース１１Ｈ、１１Ｍ及び１１Ｌの集合体として構成されている。より具体的には、サブデータベース１１Ｈは体脂肪率が例えば２５％より高い人に推奨される食材に関する食材情報のみを含むデータベースであり、サブデータベース１１Ｍは体脂肪率が例えば２０％以上２５％以下の人に推奨される食材に関する食材情報のみを含むデータベースであり、サブデータベース１１Ｌは体脂肪率が例えば２０％未満の人に推奨される食材に関する食材情報のみを含むデータベースである。
【００７５】
そして、サブデータベース１１Ｈは、商品情報データベース２０Ｈと、お勧めメニューデータベース２１Ｈと、売場情報データベース２２Ｈと、お勧め情報データベース２３Ｈと、により構成されており、サブデータベース１１Ｍは、商品情報データベース２０Ｍと、お勧めメニューデータベース２１Ｍと、売場情報データベース２２Ｍと、お勧め情報データベース２３Ｍと、により構成されており、サブデータベース１１Ｌは、商品情報データベース２０Ｌと、お勧めメニューデータベース２１Ｌと、売場情報データベース２２Ｌと、お勧め情報データベース２３Ｌと、により構成されている。
【００７６】
次に、各サブデータベースの細部構成について説明する。なお、各サブデータベースは相互に同一の構成（構造）を備えているので、以下の説明ではこれらを代表してサブデータベース１１Ｈの構成について説明する。
【００７７】
図３に示すように、サブデータベース１１Ｈ内の商品情報データベース２０Ｈには、当該食料品店内に在庫として保管又は展示されている全ての食材（すなわち、体脂肪率が２５％より高い人に推奨される全ての食材。以下、同様。）に関する商品情報２００が、夫々の食材の種類毎に個々に識別可能に格納されている。そして、各商品情報２００には、一つの商品情報２００を他の商品情報２００から識別するための商品識別情報を含むヘッダＨと、各食材に関する具体的な情報（例えば、品名に関する情報、生産地に関する情報又は賞味期限に関する情報等）が文字として含まれている文字情報ＬＴと、その食材の展示台Ｄ上における展示状態を示す画像等を含む画像情報Ｇと、その食材を使ったお勧めのメニューを示す後述のお勧めメニュー情報２０１を識別するためのリンク情報Ｒと、が含まれている。
【００７８】
一方、サブデータベース１１Ｈ内のお勧めメニューデータベース２１Ｈには、当該食料品店内に在庫として保管又は展示されている全ての食材につき、それらの食材を用いたお勧めの料理のレシピ（調理法）に関するお勧めメニュー情報２０１が、夫々のお勧めメニューの種類毎に個々に識別可能に格納されている。そして、各お勧めメニュー情報２０１には、一つのお勧めメニュー情報２０１を他のお勧めメニュー情報２０１から識別するためのメニュー識別情報を含むヘッダＨと、各お勧めメニューに関する具体的な情報（例えば、その料理を調理するために必要な材料たる食材名に関する情報、その調理法に関する情報又はその料理における一人当たりのカロリー量に関する情報等）が文字として含まれている文字情報ＬＴと、そのお勧めメニューの料理の完成状態を示す画像等を含む画像情報Ｇと、そのお勧めメニューの料理を調理するために必要な食材に対応する商品情報２００を識別するための商品情報リンクI並びに当該必要な食材が展示されている食料品店内の位置を示す後述の売場情報２０３を識別するための売場案内リンクＰを含む商品リンク情報２０２を各食材毎に含むリンク情報Ｒと、が含まれている。
【００７９】
ここで、当該商品リンク情報２０２内には、上記商品情報リンクI及び売場案内リンクＰの他に、一の食材に対応する商品リンク情報２０２を他の食材に対応する商品リンク情報２０２から識別するための商品識別情報を含むヘッダＨが併せて含まれている。
【００８０】
更に、サブデータベース１１Ｈ内の売場情報データベース２２Ｈには、当該食料品店内に展示されている全ての食材の展示位置に関する売場情報２０３が、夫々の食材の種類毎に個々に識別可能に格納されている。そして、各売場情報２０３には、一つの売場情報２０３を他の売場情報２０３から識別するための売場識別情報を含むヘッダＨと、各食材毎の売り場を示す店内位置情報が画像として含まれている画像情報Ｇと、が含まれている。
【００８１】
そして最後に、サブデータベース１１Ｈ内のお勧め情報データベース２３Ｈには、当該食料品店における各展示台Ｄ毎のその日のお勧め食材に関するお勧め情報２０４が、夫々の展示台Ｄ毎に個々に識別可能に格納されている。そして、各お勧め情報２０４には、一つのお勧め情報２０４を他のお勧め情報２０４から識別するためのお勧め情報識別情報を含むヘッダＨと、各お勧め情報に関する具体的な情報（例えば、その日のお勧めである食材の名称情報等）が文字として含まれている文字情報ＬＴと、その名称情報等に対応する商品情報２００を識別するためのリンク情報Ｒと、が、一の展示台Ｄにおける食材毎に含まれている。
【００８２】
なお、サブデータベース１１Ｍ及び１１Ｌ夫々に含まれている商品情報データベース２０Ｍ及び２０Ｌ等には、夫々、体脂肪率が２０％以上２５％以下の人に推奨される当該食料品店内の全ての食材に関する上述した各情報のみ（サブデータベース１１Ｍの場合）又は体脂肪率が２０％未満の人に推奨される当該食料品店内の全ての食材に関する上述した各情報のみ（サブデータベース１１Ｌの場合）が含まれている。
【００８３】
これらに加えて、データベース１１には、買物を使用する使用者がいずれかのショッピングカートＣＴ１を移動させ始めた時点で当該各ショッピングカートＣＴ１から送信されてくる上記体脂肪率情報Ｓuにより示される体脂肪率と、当該体脂肪率情報Ｓuと同時に送信されて来るカート識別情報と、を対として含むカート別体脂肪率情報３００を、当該食料品店内を移動中のショッピングカートＣＴ１の数だけ含む体脂肪率データベース１１Ｄが含まれている。
【００８４】
次に、上述した構成を備える食材情報配信システムＳ１を用いた、買物中における情報提供処理について、具体的に図４乃至図７を用いて説明する。
【００８５】
買物をする使用者が第１実施形態に係る食材情報配信システムＳ１を備える食料品店に来店していずれかのショッピングカートＣＴ１を移動させ始めると、図４に示すように、先ずその使用者の体脂肪率を把持部８及び端末装置Ｔ１内の体脂肪率算出部５を用いて算出し（ステップＳ１０）、その算出結果を体脂肪率情報Ｓuとして対応するカート識別情報と共に中央処理装置ＳＳ１に送信する（ステップＳ１１）。これにより、当該送信を受けた中央処理装置ＳＳ１においては、当該送信されて来た体脂肪率情報Ｓuにより示される体脂肪率と、同時送信されて来たカート識別情報と、を対として含む上記カート別体脂肪率情報３００が新たに生成された体脂肪率データベース１１Ｄ内に追加される。
【００８６】
これらと並行して、ショッピングカートＣＴ１がいずれかの売り場に接近すると、その売り場にある展示台Ｄ上のリーダＤＭがその接近したショッピングカートＣＴ１におけるＩＣタグ６からのカート識別情報を読み取り、そのカート識別情報ＳdをＣＰＵ１０に出力する。
【００８７】
これにより、ＣＰＵ１０は、当該カート識別情報Ｓdが送信されて来た展示台Ｄに対応し且つその送信されて来たカート識別情報Ｓdに対応する体脂肪率（それが対応するカート別体脂肪率情報３００から取得する）に対応するその日のお勧め食材を示すお勧め情報２０４を、当該体脂肪率に対応するお勧め情報データベース２３Ｈ、２３Ｍ又は２３Ｌのいずれか内において検索する。そして、その検索結果を無線インターフェース４及び１４並びに無線ネットワークＬを介して元のショッピングカートＣＴ１に備えられた端末装置Ｔ１に送信し、そのお勧め情報２０４をディスプレイ２に表示させる（ステップＳ１２）。このとき、当該ディスプレイ２には、例えば図５（ａ）に示す如き、その展示台Ｄにおけるその日のお勧め食材（当該使用者に推奨される、体脂肪率を考慮した食材）を示すお勧め情報２０４に対応するお勧め情報画像Ｇ１が、当該お勧めである食材名を含んで表示される。なお、図５（ａ）は野菜売り場に対応するお勧め情報画像Ｇ１の例である。
【００８８】
また、お勧め情報データベース２３Ｈ、２３Ｍ又は２３Ｌのいずれか内において検索した検索結果を送信すべきショッピングカートＣＴ１の識別は、展示台Ｄ上のリーダＤＭにおいて読み取られたＩＣタグ６からのカート識別情報を中央処理装置ＳＳ１が取得したとき、その取得したカート識別情報と無線ネットワークＬ上の対応するショッピングカートＣＴ１のアドレスとが中央処理装置ＳＳ１上で予め対応付けられており、その対応付けに基づいて検索結果を送信すべきショッピングカートＣＴ１が識別される。
【００８９】
次に、当該お勧め情報画像Ｇ１が表示されている状態で、いずれかのお勧め食材の食材名がタッチパネル３上で操作されると、その操作が為されたことを示す情報が無線インターフェース４及び１４並びに無線ネットワークＬを介して中央処理装置ＳＳ１に伝送される。これにより、中央処理装置ＳＳ１において、上記操作されたお勧め食材を含むお勧め情報２０４内のリンク情報Ｒを用いて対応する商品情報２００を商品情報データベース２０Ｈ、２０Ｍ又は２０Ｌのいずれか（体脂肪率に対応する商品情報データベース２０Ｈ、２０Ｍ又は２０Ｌのいずれか）内において検索し、その検索結果を再度無線インターフェース４及び１４並びに無線ネットワークＬを介して（お勧め情報２０４の場合と同様にして識別された）元のショッピングカートＣＴ１に備えられた端末装置Ｔ１に送信し、その検索された商品情報２００を示す画像情報Ｇ及び文字情報ＬＴを含む画像をディスプレイ２に表示させる（ステップＳ１２）。
【００９０】
このとき、ディスプレイ２上には、例えば図５（ｂ）に示す如き、その選択されたお勧め食材を示す商品情報画像Ｇ２が表示される。そして、当該商品情報画像Ｇ２には、その食材を示す画像、その食材の食材名、生産地及び賞味期限等を示す文字及びその食材を用いたお勧めメニューを示すお勧めメニュー情報２０１を表示させるためのリンクボタンＢ２が含まれている。
【００９１】
より具体的には、例えば図５（ａ）に示すお勧め情報画像Ｇ１おいて「トマト」が選択されたとすると、図５（ｂ）に示す商品情報画像Ｇ２の例としては、通常のトマトに関する商品情報（図５（ｂ）左）とプチトマトに関する商品情報（図５（ｂ）右）とが表示されている。
【００９２】
次に、お勧め食材に関する商品情報画像Ｇ２を表示している期間においては、タッチパネル３上において上記リンクボタンＢ２が操作されたか否かが常に監視されており（ステップＳ１３）、当該リンクボタンＢ２が操作されないときは（ステップＳ１３；ＮＯ）上記ステップＳ１２に戻ってそのままお勧め情報に関する表示を継続し、一方、リンクボタンＢ２が操作されたときは（ステップＳ１３；ＹＥＳ）、当該操作されたリンクボタンＢ２を示す情報が無線インターフェース４及び１４並びに無線ネットワークＬを介して中央処理装置ＳＳ１に伝送される。これにより、中央処理装置ＳＳ１において、上記操作されたリンクボタンＢ２を含む商品情報２００内のリンク情報Ｒを用いて対応するお勧めメニュー情報２０１をお勧めメニューデータベース２１Ｈ、２１Ｍ又は２１Ｌのいずれか（体脂肪率に対応するお勧めメニューデータベース２１Ｈ、２１Ｍ又は２１Ｌのいずれか）内において検索し、その検索結果を再度無線インターフェース４及び１４並びに無線ネットワークＬを介して（お勧め情報２０４の場合と同様にして識別された）元のショッピングカートＣＴ１に備えられた端末装置Ｔ１に送信し、その検索されたお勧めメニュー情報２０１に含まれる画像情報Ｇ及び文字情報ＬＴを含む画像をディスプレイ２に表示させる（ステップＳ１４）。
【００９３】
より具体的には、例えば図５（ｂ）に示す商品情報画像Ｇ２おいて「トマト」に対応する画像（図５（ｂ）左）内のリンクボタンＢ２が選択されたときは、例えば図６（ａ）に示す如き「冷製トマトパスタ」を示すお勧めメニュー情報画像Ｇ３が表示され、一方、図５（ｂ）に示す商品情報画像Ｇ２おいて「プチトマト」に対応する画像（図５（ｂ）右）内のリンクボタンＢ２が選択されたときは、例えば図６（ｂ）に示す如き「中華プチトマトサラダ」を示すお勧めメニュー情報画像Ｇ３が表示される。
【００９４】
そして、夫々のお勧めメニュー情報画像Ｇ３内には、対応して検索されているお勧めメニュー情報２０１に基づいて、当該お勧めメニューの内容を示す画像（調理終了状態の画像）、並びにその料理を調理するために必要な材料たる食材名に関する情報、その調理法に関する情報又はその料理における一人当たりのカロリー量に関する情報等が文字情報として表示される。これに加えて、当該材料に関する情報として、その料理に必要な材料の売り場を示す売場情報を表示させるためのリンクボタンＢ３１及びその材料に関する食材情報を表示させるためのリンクボタンＢ３２が、夫々の材料毎に表示される（ステップＳ１４）。
【００９５】
次に、お勧めメニューに関するお勧めメニュー情報画像Ｇ３を表示している期間においては、タッチパネル３上において上記リンクボタンＢ３１又はＢ３２のいずれかが操作されたか否かが常に監視されており（ステップＳ１５）、当該リンクボタンＢ３１が操作されたときは（ステップＳ１５；売場情報）、当該操作されたリンクボタンＢ３１を示す情報が無線インターフェース４及び１４並びに無線ネットワークＬを介して中央処理装置ＳＳ１に伝送される。これにより、中央処理装置ＳＳ１において、上記操作されたリンクボタンＢ３１を含むお勧めメニュー情報２０１内のリンク情報Ｒに含まれるその食材の売場案内リンクＰを用いて対応する売場情報２０３を売場情報データベース２２Ｈ、２２Ｍ又は２２Ｌのいずれか（体脂肪率に対応する売場情報データベース２２Ｈ、２２Ｍ又は２２Ｌのいずれか）内において検索し、その検索結果を再度無線インターフェース４及び１４並びに無線ネットワークＬを介して（お勧め情報２０４の場合と同様にして識別された）元のショッピングカートＣＴ１に備えられた端末装置Ｔ１に送信し、その検索された売場情報２０３に含まれる画像情報Ｇを含む画像をディスプレイ２に表示させる（ステップＳ１６）。
【００９６】
より具体的には、例えば図６（ａ）に示すお勧めメニュー情報画像Ｇ３おいて「パスタ」に対応するリンクボタンＢ３１が選択されたときは、例えば図７（ａ）に示す如き売場案内画像Ｇ４が表示される。そして、当該売場案内画像Ｇ４においては、お勧めメニュー情報画像Ｇ３において選択された「パスタ」が展示されている食料品店内の位置が画像により表示される。
【００９７】
そして、この売場案内画像Ｇ４が表示されている期間においては、清算すべき旨の操作がタッチパネル３上又は図示しない食料品店内の清算場所において行われたか否かが常に監視されており（ステップＳ１８）、当該清算操作が実行されていないときは（ステップＳ１８；ＮＯ）上記ステップＳ１２の処理に戻ってそれまでの処理を繰り返し、一方、清算操作が行われたときは（ステップＳ１８；ＹＥＳ）、実際の清算処理及び金銭の支払のための処理を行うと共に、どのような情報がディスプレイ２上に表示されたときにどのような食材が購入されたかを示す統計的な情報を生成する等の情報の整理処理を実行し（ステップＳ１９）、その情報を無線インターフェース４及び１４並びに無線ネットワークＬを介して中央処理装置ＳＳ１に伝送してデータベース１１内の図示しない領域に蓄積し、一連の処理を終了する。
【００９８】
他方、上記ステップＳ１５の判定において、上記リンクボタンＢ３２が操作されたときは（ステップＳ１５；商品情報）、当該操作されたリンクボタンＢ３２を示す情報が無線インターフェース４及び１４並びに無線ネットワークＬを介して中央処理装置ＳＳ１に伝送される。これにより、中央処理装置ＳＳ１において、上記操作されたリンクボタンＢ３２を含むお勧めメニュー情報２０１内のリンク情報Ｒに含まれる商品情報リンクＩを用いて対応する食材の商品情報２００を商品情報データベース２０Ｈ、２０Ｍ又は２０Ｌのいずれか（体脂肪率に対応する商品情報データベース２０Ｈ、２０Ｍ又は２０Ｌのいずれか）内において検索し、その検索結果を再度無線インターフェース４及び１４並びに無線ネットワークＬを介して（お勧め情報２０４の場合と同様にして識別された）元のショッピングカートＣＴ１に備えられた端末装置Ｔ１に送信し、その検索された商品情報２０３に含まれる画像情報Ｇ及び文字情報ＬＴを含む画像をディスプレイ２に表示させ（ステップＳ１７）、その後上記ステップＳ１２の処理に戻る。
【００９９】
このとき、ディスプレイ２上には、例えば図７（ｂ）に示す如き、その選択されたお勧め食材を示す商品情報画像Ｇ２が表示される。そして、当該商品情報画像Ｇ２には、上記ステップＳ１２の場合と同様に、その食材を示す画像、その食材の食材名、生産地及び賞味期限等を示す文字及びその食材を用いたお勧めメニューを示すお勧めメニュー情報２０１を表示させるためのリンクボタンＢ２が含まれている。
【０１００】
より具体的には、例えば図６（ａ）に示すお勧めメニュー情報画像Ｇ３おいて「パスタ」に対応するリンクボタンＢ３２が選択されたときは、図７（ｂ）に示す商品情報画像Ｇ２の例としては、通常のパスタに関する商品情報（図７（ｂ）左）とペンネに関する商品情報（図７（ｂ）右）とが表示されている。
【０１０１】
以上夫々説明したように、第１実施形態の情報提供システムＳ１における処理によれば、体脂肪率情報Ｓuに適応した食材情報が抽出されて使用者の手元に届くので、体脂肪率の調整のための食材情報を簡易な方法で取得することができる。
【０１０２】
従って、体脂肪率を基準としてその使用者に適した食材情報を提供できることで、当該使用者の購買意欲を促進して食材の売上向上に資することができる。
【０１０３】
また、種々の食材が販売されている食料品店内の備えられたショッピングカートＣＴ１において自動的にその使用者の体脂肪率を測定し、その測定結果に適応した食材情報が当該ショッピングカートＣＴ１上の端末装置Ｔ１に配信されるので、当該使用者は、買物をしながら自己の体脂肪率と必要は食材との関係を把握しつつ短時間且つ効果的に必要な食材を購入することができる。
【０１０４】
更に、非接触のＩＣタグ６とリーダＤＭとの協働によりショッピングカートＣＴ１の食料品店内における位置を特定し、その位置と当該使用者の体脂肪率とに対応した食材情報を提供するので、その使用者の食材購入を効果的に補助することができる。
【０１０５】
更にまた、食材情報内に売場への案内情報が含まれているので、食料品店内において推奨される食材の陳列位置まで使用者をスムーズに誘導することができる。
【０１０６】
また、食材情報内に対応するメニュー情報（レシピ情報）が含まれているので、食材購入後の調理についても考慮しつつ、適切な食材を購入する補助を行うことができる。
【０１０７】
更にまた、商品情報２００等がディスプレイ２により視覚的に提供されるので、使用者は、迅速且つ容易に必要な商品情報２００等の内容を認識することができる。
【０１０８】
従って、必要な商品情報２００等を迅速に入手して効率的且つ楽しく買物を行うことができる。
【０１０９】
（II）第２実施形態
次に、本発明に係る他の実施形態である第２実施形態について、図８及び図９を用いて説明する。
【０１１０】
なお、図８及び図９は第２実施形態に係る食材情報配信システムの概要構成を示す図である。また、図８及び図９において、第１実施形態に係る食材情報配信システムＳ１の構成部材と同様の構成部材については、同一の部材番号を付して細部の説明は省略する。
【０１１１】
上述した第１実施形態に係る食材情報配信システムＳ１においては、ショッピングカートＣＴに備えられたＩＣタグ６と各展示台Ｄに備えられたリーダＤＭとの協働により食材情報を配信したが、以下に説明する第２実施形態に係る食材情報配信システムでは、展示台Ｄに備えられたアンテナとショッピングカート上の端末装置に備えられたアンテナとの間で、例えば赤外線又は電波等の無線により諸情報を授受することにより各ショッピングカートを識別して食材情報を提供する。
【０１１２】
先ず、第２実施形態に係る食材情報配信システムについて、図８を用いて概念的に説明する。
【０１１３】
図８（ａ）に示すように、当該食材情報配信システムＳ２は、端末装置Ｔ２が搭載されたショッピングカートＣＴ２と、当該ショッピングカートＣＴ２が移動する食料品店内の売り場毎に設けられた複数の展示台Ｄと、各端末装置Ｔ２に対する後述する情報の提供を一括して制御する中央処理装置ＳＳ２と、各端末装置Ｔ２と中央処理装置ＳＳ２とを無線通信により接続する無線ネットワークＬと、により構成されている。
【０１１４】
そして、上記各展示台Ｄには、第１実施形態の場合と異なり、その展示台Ｄの上記店舗内における位置を示す位置対応情報ＰＯＳを、赤外線又は電波を介してその周囲に放射する放射手段としての放射アンテナＴＲが夫々備えられている。
【０１１５】
これに対し、第２実施形態に係るショッピングカートＣＴ２には、第１実施形態の場合におけるＩＣタグ６は備えられておらず、これに代えて、上記放射アンテナＴＲから放射されている位置対応情報ＰＯＳを受信する受信アンテナＡＮＴが、当該ショッピングカートＣＴ２に搭載されている端末装置Ｔ２上に備えられている。
【０１１６】
この構成により、端末装置Ｔ２は、受信した位置対応情報ＰＯＳにより示される店舗内の位置と、第１実施形態に係る体脂肪率情報Ｓuと、当該端末装置Ｔ２が搭載されているショッピングカートＣＴ２を示すカート識別情報と、を、相互に関連付け、無線ネットワークＬを介して中央処理装置ＳＳ２に送信する。
【０１１７】
そして、これを受けた中央処理装置ＳＳ２は、当該送信されて来た店舗内の位置に展示されている食材のうち、当該送信されて来た体脂肪率情報Ｓuにより示される体脂肪率に適応した食材に対応する食材情報を第１実施形態の場合と同様のデータベース１１内において検索する。その後、その検索結果を、当該送信されてきたカート識別情報により示されるショッピングカートＣＴ２に搭載されている端末装置Ｔ２に対して無線ネットワークＬを介して送信する。
【０１１８】
次に、上記端末装置Ｔ２の構成及び動作について、図８（ｂ）を用いて説明する。なお、図８（ｂ）は当該端末装置Ｔ２の概要構成等を示すブロック図である。
【０１１９】
図８（ｂ）に示すように、第２実施形態に係る端末装置Ｔ２は、第１実施形態に係る端末装置Ｔ１と同様のＣＰＵ１、ディスプレイ２、タッチパネル３、無線インターフェース４、体脂肪率算出部５及び記憶部７に加えて、上記放射アンテナＴＲからの位置対応情報ＰＯＳの受信に用いられる上記受信アンテナＡＮＴを備えている。なお、上述したように、第２実施形態に係るショッピングカートＣＴ２には、第１実施形態に係るＩＣタグ６は備えられていない。
【０１２０】
次に、動作を説明する。
【０１２１】
先ず、受信アンテナＡＮＴは、上述したように放射アンテナＴＲからの位置対応情報ＰＯＳを受信し、対応する位置情報Ｓposを生成してＣＰＵ１に出力する。
【０１２２】
一方、体脂肪率算出部５は、第１実施形態の場合と同様にして把持部８を把持している使用者の体脂肪率を測定し、その測定結果を体脂肪率情報ＳuとしてＣＰＵ１に出力する。
【０１２３】
そして、ＣＰＵ１は、当該体脂肪率情報Ｓuと、上記受信した位置情報Ｓposと、自らに記憶しているカート識別情報と、を関連付け、カート情報Ｓxとして無線インターフェース４に出力する。
【０１２４】
これにより、無線インターフェース４は、ＣＰＵ１から上記カート情報Ｓxが送信されてくると、これを無線ネットワークＬを介して中央処理装置ＳＳ２に送信する。これに加えて無線インターフェース４は、無線ネットワークＬを介して中央処理装置ＳＳ２から提供情報Ｓrを取得しＣＰＵ１に出力する。
【０１２５】
他方、タッチパネル３は、ショッピングカートＣＴ２の使用者により操作されると、当該操作に対応する操作情報Ｓtpを生成してＣＰＵ１へ出力する。
【０１２６】
これにより、ＣＰＵ１は、提供情報Ｓr及び操作情報Ｓtpを用いてディスプレイ２に表示させるべき表示情報Ｓdpを生成し、ディスプレイ２に出力して必要な表示を実行させる。
【０１２７】
このとき、当該ＣＰＵ１としての処理に必要な情報は、メモリ情報Ｓmとして記憶部７に一時的に記憶されると共に、必要に応じてメモリ情報Ｓmとして読み出されて、必要な処理に供される。
【０１２８】
次に、上記中央処理装置ＳＳ２の構成及び動作について、図９を用いて説明する。なお、図９は当該中央処理装置ＳＳ２の概要構成を示すブロック図である。
【０１２９】
図９に示すように、第２実施形態に係る中央処理装置ＳＳ２は、ＣＰＵ１０と、不揮発性の記憶媒体であるデータベース１１と、キーボード又はマウス等により構成される入力部１３と、により構成されている。
【０１３０】
次に、動作を説明する。
【０１３１】
先ず、入力部１３は、データベース１１内に格納されている情報を更新する際等に用いられ、中央処理装置ＳＳ２の管理者により操作されると、当該操作に対応する操作情報Ｓopを生成してＣＰＵ１０へ出力する。
【０１３２】
一方、無線インターフェース１４は、各端末装置Ｔから無線ネットワークＬを介して上記カート情報Ｓxが入力されると、当該カート情報Ｓx（カート識別情報、位置情報Ｓpos及び体脂肪率情報Ｓu）をＣＰＵ１０に送信すると共に、ＣＰＵ１０を介してデータベース１１から読み出された情報を、無線ネットワークＬを介して各端末装置Ｔに対して提供情報Ｓrとして伝送する。
【０１３３】
他方、データベース１１は、各端末装置Ｔ２上に表示すべき情報を蓄積記憶し、必要に応じてデータベース情報ＳdbとしてＣＰＵ１０に出力すると共に、入力部１３における操作により当該表示すべき情報が更新されると、ＣＰＵ１０を介してデータベース情報Ｓdbとしてその更新された情報を受け取り、指定されたアドレスに蓄積記憶する。
【０１３４】
ここで、第２実施形態に係るデータベース１１の細部構成は、図３に示す第１実施形態に係るデータベース１１と同様であるので、細部の説明は省略する。
【０１３５】
次に、上述した構成を備える食材情報配信システムＳ２を用いた、買物中における情報提供処理について、具体的に図１０を用いて説明する。なお、図１０に示すフローチャートにおいて、第１実施形態に係る情報提供処理と同様の処理については、同様のステップ番号を付して細部の説明は省略する。
【０１３６】
買物をする使用者が第２実施形態に係る食材情報配信システムＳ２を備える食料品店に来店していずれかのショッピングカートＣＴ２を移動させ始めると、図１０に示すように、先ずその使用者の体脂肪率を把持部８及び端末装置Ｔ２内の体脂肪率算出部５を用いて算出する（ステップＳ１０）。
【０１３７】
これと並行して、ショッピングカートＣＴ２の移動に伴って受信した対応位置情報ＰＯＳにより示される位置を、ステップＳ１０の処理結果である体脂肪率情報Ｓu及び対応するカート識別情報と共にカート情報Ｓxとして中央処理装置ＳＳ２に送信する（ステップＳ２０）。これにより、当該送信を受けた中央処理装置ＳＳ２においては、当該送信されて来た体脂肪率情報Ｓuにより示される体脂肪率と、同時送信されて来たカート識別情報及び位置情報Ｓposと、を対として含むカート別体脂肪率情報３００が、新たに生成された体脂肪率データベース１１Ｄ内に追加される。
【０１３８】
これにより、ＣＰＵ１０は、当該位置情報Ｓposにより示される展示台Ｄに対応し且つその送信されて来たカート識別情報Ｓdに対応する体脂肪率（それが対応するカート別体脂肪率情報３００から取得する）に対応するその日のお勧め食材を示すお勧め情報２０４を、当該体脂肪率に対応するお勧め情報データベース２３Ｈ、２３Ｍ又は２３Ｌのいずれか内において検索する。そして、その検索結果を、カート情報Ｓxとして送信されてきたカート識別情報を手掛かりとして、無線インターフェース４及び１４並びに無線ネットワークＬを介して元のショッピングカートＣＴ２に備えられた端末装置Ｔ２に送信し、そのお勧め情報２０４をディスプレイ２に表示させる（ステップＳ１２）。
【０１３９】
これ以降は、ショッピングカートＣＴ２の移動に伴って異なる内容の位置情報Ｓposを含んで当該ショッピングカートＣＴ２から逐次送信されて来るカート情報Ｓxに基づき、その位置情報Ｓposにより示される位置の展示台Ｄに展示されている食材と、当該展示台Ｄに接近しているショッピングカートＣＴ２と、当該ショッピングカートＣＴ２を移動させている使用者に対応する体脂肪率情報Ｓuと、を相互に結び付けながら、図４に示すステップＳ１３乃至Ｓ１９の処理を実行し、端末装置Ｔ２に対して提供情報Ｓrの送信を行う。
【０１４０】
以上夫々説明した第２実施形態の情報提供システムＳ２における処理によっても、第１実施形態に係る情報提供システムＳ１と全く同様の作用効果を奏することができる。
【０１４１】
なお、上記各実施形態において、一度端末装置Ｔ１又はＴ２を介して提供された商品情報２００等を記憶部７内に蓄積記憶しておき、これを必要に応じて読み出して再度表示するように構成すれば、一度中央処理装置ＳＳ１又はＳＳ２から提供された情報を再度中央処理装置ＳＳ１又はＳＳ２に接続することなく表示することができるので、同じ展示台Ｄの位置に再度ショッピングカートＣＴ１又はＣＴ２が移動してきても、必要な商品情報２００等を迅速に提供することができる。
【０１４２】
また、上述した各実施形態の場合において、図４ステップＳ１９の情報整理の段階で、ショッピングカートＣＴ１又はＣＴ２の使用者がそれまでに提供された各情報に基づいて食材を購入する場合には（Ａ）その使用者が通常よりも安い価格で食材を購入できること、又は（Ｂ）その食材に関する広告を出した広告主が対応する広告料を食料品店又は各実施形態に係る食材情報配信システムＳ１又はＳ２のシステム提供者に支払うようにすること、の少なくともいずれか一方が実行されるように構成することもできる。
【０１４３】
この（Ａ）の場合、先ず、ショッピングカートＣＴ１又はＣＴ２の使用者が通常よりも安い価格で食材を購入できるようにする場合は、例えばディスプレイ２に表示されるお勧め情報２０４上に店頭表示価格よりも安い特別価格を含ませておき、清算時に当該お勧め情報２０４に基づく食材購入があったと判断された場合には、その使用者はお勧め情報２０４上で表示した上記特別価格でその食材を購入することができるようにする。これにより、ショッピングカートＣＴ１又はＣＴ２の使用者に対して個々のサービスを提供できると共により購買意欲を向上させることができることとなる。
【０１４４】
また、上記（Ｂ）としてその食材に関する広告を出した広告主が対応する広告料を食料品店又は各実施形態に係る情報提供システムＳ１又はＳ２のシステム提供者に支払うようにする場合には、清算時に、お勧め情報２０４に基づく食材購入があったと判断された場合には、提供された情報（＝お勧め情報２０４）の依頼主である食品メーカや広告主からの広告料をその食料品店が受け取るようにしたり、当該広告料を通常より高く設定するようにして、販売店舗である食料品店や上記システム提供者に支払うようにすることができる。
【０１４５】
更にまた、ショッピングカートＣＴ１又はＣＴ２に商品情報を読取る装置（例えばいわゆるＩＣタグリーダ等）を備えさせれば、お勧め情報２０４の提供後に食材がショッピングカートＣＴ１又はＣＴ２に投入されたのか、或はお勧め情報２０４の提供前にショッピングカートＣＴ１又はＣＴ２に投入されたものかを判別することができるため、各実施形態の情報提供システムＳ１又はＳ２による効果をより正確に把握することができる。
【０１４６】
また、上述した各実施形態では、中央処理装置ＳＳ１又はＳＳ２からの情報を端末装置Ｔ１又はＴ２上において提示する構成としたが、これ以外に、使用者が所持する携帯型無線電話機（以下、単に携帯電話と称する）に必要な情報を送信して表示させることもできる。
【０１４７】
この場合、先ず上述したカート識別情報を目視可能な状態でショッピングカートＣＴ１又はＣＴ２上に表示しておく。そして、使用者は当該視認されるカート識別情報を、自らが所持する携帯電話における電子メール機能を用いて自らのメールアドレスと共に中央処理装置ＳＳ１又はＳＳ２に送信する。これにより、当該送信を受けた中央処理装置ＳＳ１又はＳＳ２では、上記カート別体脂肪率情報３００に電子メール送信元のメールアドレスを更に追加して対として記憶する。そして、上記各実施形態において端末装置Ｔ宛に送信した提供情報Ｓrを電子メールを用いて送信元のメールアドレスに送信すれば、各実施形態において端末装置Ｔにおいて提示していた種々の食材情報を携帯電話上に表示することができる。
【０１４８】
この構成によれば、携帯電話を用いて使用者への食材情報の提示を行えるので、端末装置Ｔ１又はＴ２自体の構成を簡略化することができる。
【０１４９】
更に、図４に示すフローチャートに対応するプログラムをフレキシブルディスク又はハードディスク等の情報記録媒体に記録しておき、又は当該プログラムをインター等のネットワークを介して取得して記録しておき、当該プログラムを読み出して汎用のマイクロコンピュータ等において実行することにより、当該マイクロコンピュータを各実施形態に係るＣＰＵ１又は１０として機能させることも可能である。
【産業上の利用可能性】
【０１５０】
以上夫々説明したように、本発明は商店又はスーパーマーケット等の大規模店舗における体脂肪率を考慮した誘導案内及び食材提示の分野に利用すると顕著な効果を奏することが可能である。
【図面の簡単な説明】
【０１５１】
【図１】第１実施形態に係る情報提供装置の概要構成を示す図であり、（ａ）は全体の概念図であり、（ｂ）は端末装置の概要構成を示すブロック図である。
【図２】第１実施形態に係る中央処理装置の概要構成を示すブロック図である。
【図３】第１実施形態に係るデータベースの構造を示す図である。
【図４】第１実施形態に係る買物における機能を示すフローチャートである。
【図５】第１実施形態に係る買物処理における表示画面例を示す図（Ｉ）であり、（ａ）はお勧め商品情報画像を例示する図であり、（ｂ）は商品情報画像を例示する図である。
【図６】第１実施形態に係る買物処理における表示画面例を示す図（II）であり、（ａ）はお勧めメニュー情報画像を例示する図（ｉ）であり、（ｂ）はお勧めメニュー情報画像を例示する図（ii）である。
【図７】第１実施形態に係る買物処理における表示画面例を示す図（III）であり、（ａ）は売場情報画像を例示する図であり、（ｂ）は商品情報画像を例示する他の図である。
【図８】第２実施形態に係る情報提供装置の概要構成を示す図であり、（ａ）は全体の概念図であり、（ｂ）は端末装置の概要構成を示すブロック図である。
【図９】第２実施形態に係る中央処理装置の概要構成を示すブロック図である。
【図１０】第２実施形態に係る買物における機能を示すフローチャートである。
【符号の説明】
【０１５２】
１、１０    ＣＰＵ
２    ディスプレイ
３    タッチパネル
４、１４    無線インターフェース
５    体脂肪率算出部
６    ＩＣタグ
７    記憶部
８    把持部
１１    データベース
１１Ｈ、１１Ｍ、１１Ｌ    サブデータベース
１１Ｄ    体脂肪データベース
１２    インターフェース
１３    入力部
２０Ｈ、２０Ｍ、２０Ｌ    商品情報データベース
２１Ｈ、２１Ｍ、２１Ｌ    お勧めメニューデータベース
２２Ｈ、２２Ｍ、２２Ｌ    売場情報データベース
２３Ｈ、２３Ｍ、２３Ｌ    お勧め情報データベース
２００    商品情報
２０１    お勧めメニュー情報
２０２    商品リンク情報
２０３    売場情報
２０４    お勧め情報
３００    体脂肪率情報
Ｓ１、Ｓ２    食材情報配信システム
Ｔ１、Ｔ２    端末装置
ＣＴ１、ＣＴ２    ショッピングカート
Ｄ    展示台
ＤＭ    リーダ
ＳＳ１、ＳＳ２    中央処理装置
Ｌ    無線ネットワーク
Ｈ    ヘッダ
ＬＴ    文字情報
Ｇ    画像情報
Ｒ    リンク情報
Ｉ    商品リンク
Ｐ    売り場リンク
Ｂ２、Ｂ３１、Ｂ３２    リンクボタン
Ｇ１    お勧め情報画像
Ｇ２    商品情報画像
Ｇ３    お勧めメニュー情報画像
Ｇ４    売場案内画像
ＴＲ    放射アンテナ
ＡＮＴ    受信アンテナ
ＰＯＳ    対応位置情報
Ｓu    体脂肪率情報
Ｓr    提供情報
Ｓtp、Ｓop    操作情報
Ｓin    検出信号
Ｓdp    表示情報
Ｓm    メモリ情報
Ｓd    カート識別情報
Ｓif    インターフェース情報
Ｓdb    データベース情報
Ｓx    カート情報
Ｓpos    位置情報
【図１】
2007133711.tif 000003
【図２】
2007133711.tif 000004
【図３】
2007133711.tif 000005
【図４】
2007133711.tif 000006
【図５】
2007133711.tif 000007
【図６】
2007133711.tif 000008
【図７】
2007133711.tif 000009
【図８】
2007133711.tif 000010
【図９】
2007133711.tif 000011
【図１０】
2007133711.tif 000012